【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
ａ）フェノール系酸化防止剤及び／又はフェノール系紫外線吸収剤、並びに
ｂ）色形成剤
を含むポリマー状材料が、可視光線よりもより高いエネルギーの輻射線を使用して照射されることからなるポリマー状材料を着色する方法であって、
但し、前記フェノール系酸化防止剤及び／又はフェノール系紫外線吸収剤（ａ）は次式（２）ないし（１４）：
【化１】
2006510749.tif 000001
【化２】
2006510749.tif 000002
【化３】
2006510749.tif 000003
で表わされる化合物でない方法。
【請求項２】
可視光線よりもより高いエネルギーの前記輻射線が紫外線、Ｘ線、γ線及び粒子線から、とりわけ紫外線レーザー又は２８５ｎｍないし４００ｎｍの紫外線ランプ輻射線、電子線、Ｘ線及びγ線から選択される請求項１記載の方法。
【請求項３】
成分（ａ）が、一つ又はそれより多くのモノ−ヒドロキシフェニル部分であって、それぞれ、該部分を同一種類の別の部分１個ないし３個に結合している結合基に対する又はアンカー基に対する一つ又は二つの結合を持つモノ−ヒドロキシフェニル部分、
並びに所望により、炭素原子数１ないし１２のアルキル基から選択された別の置換基１
個ないし３個を含む化合物であって、
前記結合基は、炭素原子数１ないし２０の二価、三価又は四価の脂肪族基であり、そして二価結合基は、
−Ｏ−基、−ＮＨ−基、−Ｓ−基、−ＣＯ−基、−ＣＯＯ−基、−ＯＣＯ−基、−ＮＨＣＯ−基、−ＣＯＮＨ−基、基Ｌ1 、フェニレン基、炭素原子数１ないし１２のアルキル基及び／又は炭素原子数１ないし１２のアルコキシ基及び／又は炭素原子数２ないし１２のアルカノイルオキシ基及び／又は炭素原子数３ないし１２のアルケノイルオキシ基により置換されたフェニレン基で中断され得る及び／又は末端キャップされ得るアルキレン基；二価モノ−、ジ−又はトリシクロアルキレン基；−Ｏ−基により中断された二価モノ−、ジ−又はトリシクロアルキレン基；スペーサー基：−Ｏ−基；−ＮＨ−基；−Ｓ−基；−ＣＯ−基；−ＣＯＯ−基；−ＯＣＯ−基；−ＮＨＣＯ−基；−ＣＯＮＨ−基から選択され、 三価基は、
炭素原子数３ないし２０の三価アルキル基；−Ｏ−基、−ＮＨ−基、−Ｓ−基、−ＣＯ−基、−ＣＯＯ−基、−ＯＣＯ−基、−ＮＨＣＯ−基、−ＣＯＮＨ−基、基Ｌ1 、フェニレン基、炭素原子数１ないし１２のアルキル基及び／又は炭素原子数１ないし１２のアルコキシ基及び／又は炭素原子数２ないし１２のアルカノイルオキシ基及び／又は炭素原子数３ないし１２のアルケノイルオキシ基により置換されたフェニレン基で中断された及び／又は末端キャップされた炭素原子数３ないし２０の三価アルキル基から、或いは、次式：
【化４】
2006510749.tif 000004
で表わされる三価基から選択され、
四価基は、
炭素原子数４ないし２０の四価アルキル基；−Ｏ−基、−ＮＨ−基、−Ｓ−基、−ＣＯ−基、−ＣＯＯ−基、−ＯＣＯ−基、−ＮＨＣＯ−基、−ＣＯＮＨ−基、基Ｌ1 、フェニレン基、炭素原子数１ないし１２のアルキル基及び／又は炭素原子数１ないし１２のアルコキシ基及び／又は炭素原子数２ないし１２のアルカノイルオキシ基及び／又は炭素原子数３ないし１２のアルケノイルオキシ基により置換されたフェニレン基で中断された及び／又は末端キャップされた炭素原子数４ないし２０の四価アルキル基から選択され、
前記において、
Ｌ1 は次式：
【化５】
2006510749.tif 000005
から選択された基を表わし、
Ｌ2 は−ＯＨ基、炭素原子数１ないし１２のアルキル基、炭素原子数１ないし１２のアルコキシ基、炭素原子数２ないし１２のヒドロキシアルキル基、炭素原子数２ないし１２のヒドロキシアルコキシ基を表わし、
Ｌ3 は独立して炭素原子数１ないし４のアルキレン基を表わし、
Ｌ4 は独立して水素原子又は炭素原子数１ないし４のアルキル基を表わし、そして
アンカー基は、
炭素原子数１ないし２２のアルキル基；炭素原子数１ないし２２のアルキル−Ａ5 −基；−Ａ5 −基により中断された炭素原子数２ないし２２のアルキル基；−Ａ4 −フェニル基；フェニル核が炭素原子数１ないし１２のアルキル基、炭素原子数１ないし１２のアルコキシ基、炭素原子数２ないし１２のアルカノイルオキシ基及び／又は炭素原子数３ないし１２のアルケノイルオキシ基により置換された−Ａ4 −フェニル基；次式：
【化６】
2006510749.tif 000006
で表わされる基により置換された炭素原子数１ないし８のアルキル基；例えば、次式：
−Ａ3 −（Ｏ）m −Ｐ（＝Ｏ）p （ＯＡ1 ）（ＯＡ2 ）
で表わされるホスフィットエステル基、ホスファイトエステル基又はホスホネートエステル基を表わし、或いは、
アンカー基は、次式：
【化７】
2006510749.tif 000007
で表わされる基を表わし、
前記式中、
ｍ及びｐは独立して０又は１を表わし、
Ａ1 及びＡ2 は独立して炭素原子数１ないし１２のアルキル基又はフェニル基又は炭素原子数１ないし１２のアルキル基により置換されたフェニル基又は、アルカリ、アルカリ土類若しくはアルミニウム原子の当量を表わし、
Ａ3 は直接結合又は炭素原子数１ないし８のアルキレン基を表わし、
Ａ4 は炭素原子数１ないし８のアルキレン基及びＡ5 から選択された基を表わし、
Ａ5 は−Ｏ−基、−ＮＨ−基、−Ｓ−基、−ＣＯ−基、−ＣＯＯ−基、−ＯＣＯ−基、−ＮＨＣＯ−基、−ＣＯＮＨ−基から選択された基を表わし、
Ａ6 は炭素原子数１ないし１８のアルコキシ基、炭素原子数１ないし１８のアルキルチオ基及び炭素原子数１ないし１８のアルキルアミノ基から選択された基を表わし、
Ａ7 は−Ｏ−基又は−ＮＨ−基を表わし、
Ｒ'は水素原子、炭素原子数１ないし１８のアルキル基、炭素原子数１ないし１８のアル
コキシ基又はシクロヘキシルオキシ基を表わし、或いは、
アンカー基は、
炭素原子数３ないし２２のアルキレン基又は炭素原子数３ないし２２のオキサアルキレン基であって、上記基は、両方の開放結合により、モノ−ヒドロキシルフェニル部分の隣接炭素原子に結合している基を表わす、
化合物を表わし、
また、成分（ａ）は、次式（ＩＩａ）で表わされるベンゾトリアゾール、次式（ＩＩｂ）で表わされる２−ヒドロキシベンゾフェノン、次式（ＩＩｃ）で表わされる２−ヒドロキシフェニルトリアジン：
【化８】
2006510749.tif 000008
［式中、
Ｔ1 は水素原子、炭素原子数１ないし１８のアルキル基又は、フェニル基により置換された炭素原子数１ないし１８のアルキル基を表わし、或いは、
Ｔ1 は次式：
【化９】
2006510749.tif 000009
で表わされる基を表わし、
Ｌ10は二価基、例えば−（ＣＨ2 ）n −基（式中、ｎは１〜８の範囲からの数を表わす）を表わし、
Ｔ2 は水素原子、炭素原子数１ないし１８のアルキル基を表わし、又は、−ＣＯＯＴ5 基、炭素原子数１ないし１８のアルコキシ基、ヒドロキシ基、フェニル基若しくは炭素原子数２ないし１８のアシルオキシ基により置換された炭素原子数１ないし１８のアルキル基を表わし、
Ｔ3 は水素原子、ハロゲン原子、炭素原子数１ないし１８のアルキル基、炭素原子数１ないし１８のアルコキシ基、炭素原子数２ないし１８のアシルオキシ基、炭素原子数１ないし１２のペルフルオロアルキル基、例えば−ＣＦ3 基を表わし、或いは、Ｔ3 はフェニル基を表わし、
Ｔ5 は炭素原子数１ないし１８のアルキル基或いは、１個若しくはそれより多くの酸素原子により中断され、及び／又は−ＯＨ基により又は次式：
【化１０】
2006510749.tif 000010
で表わされる基により置換された炭素原子数４ないし５０のアルキル基を表わす。］；
【化１１】
2006510749.tif 000011
［式中、
Ｇ1 、Ｇ2 及びＧ3 は独立して水素原子、ヒドロキシ基又は炭素原子数１ないし１８のアルコキシ基を表わす。］；
【化１２】
2006510749.tif 000012
［式中、
Ｇ8 は炭素原子数１ないし１８のアルキル基を表わし、或いは、−ＣＯＯ基若しくは−ＯＣＯ基若しくは−Ｏ−基により中断された、又は、酸素原子により中断され且つ−ＯＨ基により置換された、炭素原子数４ないし１８のアルキル基を表わし、
Ｇ9 、Ｇ10、Ｇ11及びＧ12は独立して水素原子、メチル基、ヒドロキシ基又は−ＯＧ8 基を表わし、そしてＧ9 及びＧ12は更にフェニル基を含む。］
から選択されたフェノール系紫外線吸収剤をも表わし得る、請求項１記載の方法。
【請求項４】
繊維、織布、不織布又はフィルムの形態において
ｃ）フェノール系酸化防止剤、フェノール系紫外線吸収剤及び／又は潜在酸、並びに
ｄ）色形成剤
を含むポリマー状材料が、衣類又はタグの表面下に目視可能に含まれることからなる、保護のための衣類又はマスク又は照射表示認識タグ。
【請求項５】
ｃ）フェノール系酸化防止剤、フェノール系紫外線吸収剤及び／又は潜在酸、並びに
ｄ）色形成剤
を含むポリマー状材料のタグ又はサンプルを制御する部位に配置し、その後、前記タグ又はサンプルの色を検査することからなる、Ｘ線又は放射性物質による照射を監視する方法。
【請求項６】
（ａ）フェノール系酸化防止剤及び／又はフェノール系紫外線吸収剤、並びに（ｂ）色形成剤を、繊維溶融紡糸工程の前又は間に、合成ポリマーに添加することからなる、繊維又は織布又は不織布を製造する方法。